(57)【特許請求の範囲】
【請求項１】
印刷配線板の表裏面と平行に仕切りフレームを複数配置し、各仕切りフレームの両端側に接合される連結フレームとによりバスケット本体を組立て、このバスケット本体内で連結フレームに平行な複数の区画フレームを移動可能および固定可能に配置させて印刷配線板の収納スペースを設け、各収納スペース内で印刷配線板を保持する浸漬処理用バスケットであり、連結フレームと連結フレームの組の高さ方向の支柱に筒状の嵌合支持部を複数設け、他の組の高さ方向の支柱に支柱間を連結する溝を設けた係止支持部を複数設け、前記嵌合支持部に嵌合する一組の差込フックと前記溝を設けた係止支持部に係止する係止フックを備え、差込フックと係止フックを連結する載置棒よりなる高さ調整用台座の差込フックを筒状の嵌合支持部に勘合させ、係止フックを係止支持部に係止させることにより高さ調整を行えるようにした印刷配線板の浸漬処理用バスケット。
【発明の詳細な説明】
【０００１】
【発明の属する技術分野】
本発明は、各種サイズの印刷配線板を収納することができる浸漬処理用バスケットに関する。
【０００２】
【従来の技術】
印刷配線板を製造する際、この印刷配線板に回路パターンを形成し、銅箔表面の洗浄や酸化などの表面処理のため、印刷配線板を各種の表面処理液中に浸漬する処理作業を行っている。
【０００３】
このような処理作業の場合、浸漬処理用のバスケットが使用され、複数枚の印刷配線板をバスケットの中へ収納し、表面処理液中に浸漬させている。
【０００４】
この種バスケットは、バスケット本体を四角枠状のフレームを骨格として組み合わせて構成され、バスケット本体内に印刷配線板の両端を支持するフックを設け、印刷配線板が処理槽内に落下しないように、また、隣接する複数の印刷配線板同士が互いに接触して処理ムラが生じないように収納している。
【０００５】
【発明が解決しようとする課題】
ところで、このような浸漬処理用バスケットは、バスケット本体の骨格を形成するフレーム同士が溶接やネジなどで固定されているため、予め設定された特定サイズの印刷配線板にしか使用できない。
【０００６】
つまり、印刷配線板の収納スペースが固定化されているため、予め設定された特定の印刷配線板専用のバスケットとなり、各種サイズの印刷配線板に共通して使用できず、それぞれの印刷配線板のサイズに合わせてバスケットを準備しなければならない欠点がある。
【０００７】
そこで、バスケットに収納する印刷配線板の横方向のサイズは一定とし、縦方向のサイズのみを変えて設計することで、少なくとも横方向のサイズが異なる印刷配線板を共通のバスケットに収納できれば、バスケットの数も増えない。具体的には、高さ調整用フレームをバスケット下部に設置することで、縦方向のサイズが異なる印刷配線板を共通のバスケットに収納する手段をとってきた。このような浸漬処理用バスケットの下部に高さ調整用フレームを設置する場合、印刷配線板の高さ調整用フレームを選択して設置する必要がある。しかし、この方法でも、それぞれの印刷配線板のサイズに合わせたバスケットを準備するよりもその数量、保管場所、段取り場所が少なくなるが、それでも高さ調整用のフレームの数量、保管場所の確保が必要であり、少量多品種の印刷配線板が増加しつつあるなかで、これに対応するには相当量の段取りを要求されるようになっている。印刷配線板のサイズを変える毎にバスケットの高さ調整用フレームを保管場所から運び、バスケットの中の以前に使用した高さ調整用フレームを取り出し、使用サイズに合った運び込んだ高さ調整用フレームを再度バスケットに取付、取り出した高さ調整用フレームを洗浄後、更に保管場所に移動して保管する作業が必要となる。このような段取りは、処理する時間よりも段取りに時間がかかる場合もある。
本発明は、このような事情に基づいてなされたものであり、その目的とするところは、印刷配線板の落下や隣同士の印刷配線板の接触を防いで収納できるとともに、印刷配線板の縦方向のサイズに合わせて、各種サイズの印刷配線板に共通して使用できる印刷配線板の浸漬処理用バスケットを提供することにある。
【０００８】
【課題を解決するための手段】
本発明は、上記目的を達成するために、印刷配線板の表裏面と平行に仕切りフレームを複数配置し、各仕切りフレームの両端側に接合される連結フレームとによりバスケット本体を組立て、このバスケット本体内で連結フレームに平行な複数の区画フレームを移動可能および固定可能に配置させて印刷配線板の収納スペースを設け、各収納スペース内で印刷配線板を保持する浸漬処理用バスケットであり、連結フレームと連結フレームの組の高さ方向の支柱に筒状の嵌合支持部を複数設け、他の組の高さ方向の支柱に支柱間を連結する溝を設けた係止支持部を複数設け、前記嵌合支持部に嵌合する一組の差込フックと前記溝を設けた係止支持部に係止する係止フックを備え、差込フックと係止フックを連結する載置棒よりなる高さ調整用台座の差込フックを筒状の嵌合支持部に勘合させ、係止フックを係止支持部に係止させることにより高さ調整を容易に行えるようにした印刷配線板の浸漬処理用バスケットである。
【０００９】
【発明の実施の形態】
本発明によれば、印刷配線板の表裏面と平行に配置される複数の仕切りフレームと、各仕切リフレームと直交する移動可能な複数の区画フレームによリ、収納スペースを印刷配線板のサイズに合わせて確保でき、高さ調整用の台座により、所望の高さに調整して印刷配線板を保持し、各種サイズの印刷配線板に共通なバスケットとして使用できる。
【００１０】
以下、本発明の実施形態を図面に基づき詳細に説明する。図１は、本発明に係るバスケットの使用状態を示す斜視図である。
【００１１】
同図に示すように、箱型の浸漬処理用バスケット１は、それぞれ四角枠状に形成された仕切りフレーム２，２、…と連結フレーム３，３によって構成されている。仕切りフレーム２は、印刷配線板４の表裏面と平行に配置され、印刷配線板４の厚みよりも大きい幅の間隔を隔てて複数枚が平行に配設される。
【００１２】
また、連結フレーム３は、上記複数枚の仕切りフレーム２の両端側に接合され、各仕切りフレーム２との接合部を溶接する。したがって、両端の仕切りフレーム２，２と連結フレーム３，３とにより、浸漬処理用バスケット１の外枠が形成され、両端側の仕切りフレーム２，２間に配置される仕切りフレーム２によリ、印刷配線板４の収納スペース５が形成される。
【００１３】
四角枠状に形成される区画フレーム６，６は、連結フレーム３，３間において連結フレーム３と平行に配置され、かつ直交する仕切りフレーム２に対して摺動可能とされ、連結フレーム３，３間において連結フレーム３と平行状態で移動自在とする。
【００１４】
このため、図２、図３に示すように、この区画フレーム６，６を各種サイズの印刷配線板４に適合させて移動し、印刷配線板４の最終的な収納スペース５を確保できる。
【００１５】
浸漬処理用バスケットの最外側の仕切リフレーム２の上下には、区画フレームを固定するためののピン差し込み用穴９が適当間隔を隔てて複数開設されている。また、区画フレーム６の上下の両端部にも、それぞれ対応する一対のピン差し込み用穴１２が開設されている（図２参照）。
【００１６】
したがって、区画フレーム６を移動させ、区画フレーム６と仕切りフレーム２のピン差し込み用穴９，１２とを対応させ、これにピン１３を係合すれば、区画フレーム６は、仕切リフレーム２に固定される。
【００１７】
図３に示すように印刷配線板４の両端を支持するフック１４は、連結フレーム３側と区画フレーム６側とにそれぞれ取付けられており、互いに対向し合う一対のフック１４，１４によって一組の保持用フックとされている。なお、このフック１４は、印刷配線板４の両端を支持できれば、どのような構成でもよいが、本実施例では、Ｕ字状に構成されている。
【００１８】
本発明では、図４に示すように高さ調整用台座２０の高さを調整するため、高さ調整用台座２０を係止する連結フレーム３，３の高さ方向に筒状の嵌合支持部２１（図４（ｂ）参照）と連結フレーム３，３を連結する溝を設けた係止支持部２２（図１参照）を複数設ける。連結フレーム３，３の高さ方向に設ける筒状の嵌合支持部２１は、断面が「ロ」の字形状や円形の形状をした筒状体であり、この筒状体に高さ調整用台座２０の差込フック２３を嵌合する。一方、連結フレーム３，３の筒状の嵌合支持部を設けた反対側の高さ方向には、筒状の嵌合支持部と対応した高さに連結フレームを連結する溝２５を設けた係止支持部２２を複数設け、高さ調整用台座２０に設けた係止フック２４を係止支持部２２の溝２５に合わせて載せる。
【００１９】
一方、高さ調整用台座２０は、図４に示すように、印刷配線板４を載せるための連結フレームと平行方向に設けた複数本の載置棒２６と載置棒２６の端部に嵌合支持部に嵌合する一組の差込フック２３を設け、載置棒２６の他の端部に一組の係止支持部に係止する係止フック２４を設けて構成される。印刷配線板の重量により載置棒２６が撓むのを防止するため載置棒２６は複数本設け、載置棒間を複数の連結棒２７で固定することが望ましい。載置棒２６は、区画フレーム６やフック１４の場所を避けるように配置したり、移動できるような固定方法でも良い。
印刷配線板の高さ方向の高さ調整は、載置棒２６の両端に設けた係止フック２４と差込フック２３を印刷配線板４の高さに合わせて連結フレーム３に設けた筒状の嵌合支持部２１に差込フック２３を差し込み、連結フレーム間に設けた溝を設けた係止支持部２２に他方の係止フック２４を溝２５に合わせて載せることにより簡単に行うことができる。筒状の嵌合支持部２１に差込フック２３を差込、係止支持部２２の溝２５に係止フック２４を載せることにより高さ調整用台座２０が前後左右にずれるのを防止することができる。また、高さ調整用台座２０に差込フック２３と係止フック２４を設けているので差込フックの場合だけで構成された高さ調整用台座に比べ差込の数が少なく簡便に装着することができる。
【００２０】
本発明の印刷配線板の浸漬処理用バスケット１は、酸、アルカリ、有機溶剤などの液体に接触するのでそれらにより腐食することのない材質と固定具を用いる。具体的には金属をプラスチックや塗料で被覆したり、プラスチック材料を用いる。ガラス繊維強化プラスチック、ステンレス等のパイプや板などが用いられる。
【００２１】
【発明の効果】
本発明によれば、印刷配線板の落下や隣同士の印刷配線板の接触を防いで収納できるとともに、同じバスケットにより各種サイズの印刷配線板に対応し共通して使用でき、表面処理液への浸漬処理作業を行うことができ、高さ調整用フレームを複数用意する必要がなく、また、高さ調整用フレームを複数保管するスペースを確保する必要もなく、作業の効率化が図れる。
【図面の簡単な説明】
【図１】  本発明に係る印刷配線板の浸漬処理用バスケットの使用状態を示す説明用斜視図である。
【図２】  区画フレームを示す説明用斜視図である。
【図３】  バスケットの収納スペースを示す説明用平面図である。
【図４】  （ａ）は、高さ調整用台座を示す説明用斜視図であり、（ｂ）は連結フレームに設けた嵌合支持部に高さ調整用台座の差込フックを勘合し取り付けた状態を示す要部斜視図である。
【符号の説明】
１．浸漬処理用バスケット
２．仕切りフレーム
３．連結フレーム
４．印刷配線板
５．収納スペース
６．区画フレーム
９．ピン差込み用穴
１２．ピン差込み用穴
１３．ピン
１４．フック
２０．高さ調整用台座
２１．嵌合支持部
２２．係止支持部
２３．差込フック
２４．係止フック
２５．溝
２６．載置棒
２７．連結棒
【図１】
0003783818.tif 000002
【図２】
0003783818.tif 000003
【図３】
0003783818.tif 000004
【図４】
0003783818.tif 000005